(57)【特許請求の範囲】
【請求項１】
合成樹脂製縦線と、金属製の芯線が埋設された合成樹脂製横線とを交差部にて熱溶着して一体とされた振動篩用網が上記合成樹脂製縦線と平行な両側縁を以って振動篩装置に張設され得るものであり、当該振動篩装置によって振動されることで上面側に供給される被篩体の篩動作が行われる閉塞防止機能付振動篩用網において、
上記振動篩用網の下側に上記合成樹脂製縦線に平行に一定幅の薄板帯状固定板が横方向の所定間隔を以って複数固定されると共に、
上記振動篩用網の下側において、隣接する上記薄板帯状固定板間に両端部を固定されたロープが、上記合成樹脂製横線に平行な状態で、上記薄板帯状固定板間に縦方向の所定間隔を以って複数本張設され、上記各ロープには一つ又は複数の叩打体が固定されると共に、隣接する上記各ロープの上記各叩打体は互い違いになるように配列され、上記複数のロープ及び各叩打体から構成される下側叩打部を一単位とし、上記振動篩用網の下側に上記下側叩打部が上流側から下流側に複数単位で設けられ、さらに上記振動篩用網の下側の左右方向にも上記下側叩打部が複数単位で設けられ、
上記叩打体が当接する上部の上記振動篩用網の下側には、各叩打体に対応した正方形の合成樹脂小板が熱溶着により固定され、
上記振動篩用網が上記叩打体共々上記振動篩装置により振動されることにより、複数の上記叩打体が上記合成樹脂小板を介して上記振動篩用網を下側から叩打することにより、上記振動篩用網の閉塞を防止するものである閉塞防止機能付振動篩用網。
【請求項２】
合成樹脂製縦線と、金属製の芯線が埋設された合成樹脂製横線とを交差部にて熱溶着して一体とされた振動篩用網が上記合成樹脂製縦線と平行な両側縁を以って振動篩装置に張設され得るものであり、当該振動篩装置によって振動されることで上面側に供給される被篩体の篩動作が行われる閉塞防止機能付振動篩用網において、
上記振動篩用網の下側に上記合成樹脂製縦線に平行に一定幅の薄板帯状固定板が横方向の所定間隔を以って複数固定されると共に、
上記薄板帯状固定板間において、上記合成樹脂製横線に平行に一定幅の横固定板が縦方向の所定間隔を以って複数固定されており、上記振動篩用網の下側において、隣接する上記横固定板間に両端部を固定されたロープが、上記合成樹脂製縦線に平行な状態で、上記横固定板間に横方向の所定間隔を以って複数本張設され、上記各ロープには一つ又は複数の叩打体が固定されると共に、隣接する上記各ロープの上記各叩打体は、互い違いになるように配列され、上記複数のロープ及び各叩打体から構成される下側叩打部を一単位とし、上記振動篩用網の下側に上記下側叩打部が上流側から下流側に複数単位で設けられ、さらに上記振動篩用網の下側の左右方向にも上記下側叩打部が複数単位で設けられ、
上記叩打体が当接する上部の上記振動篩用網の下側には、各叩打体に対応した正方形の合成樹脂小板が熱溶着により固定され、
上記振動篩用網が上記叩打体共々上記振動篩装置により振動されることにより、複数の上記叩打体が上記合成樹脂小板を介して上記振動篩用網を下側から叩打することにより、上記振動篩用網の閉塞を防止するものである閉塞防止機能付振動篩用網。
【請求項３】
上記振動篩用網の上記両側縁は各々一対の振動縦板間に各々張設し得るものであり、
かつ、上記薄板帯状固定板の下側に、上記振動縦板間に固定用横杆を以って固定された複数の支持部材の頭部が当接状態で設けられることにより、上記振動篩用網の中央部が上方に持ち上がった緩やかな円弧状となるように張設し得るものである請求項１又は２記載の閉塞防止機能付振動篩用網。
【請求項４】
上記ロープは３本を一単位とするものであり、３本の上記ロープの内、両側のロープには２個ずつの上記叩打体が固定され、中央の上記ロープにはその中心位置に１個の叩打体が固定されたものである請求項１〜３の何れかに記載の閉塞防止機能付振動篩用網。
【請求項５】
上記叩打体は、球形状、方形状、又は上記振動篩用網側が円弧状の半円筒形状である請求項１〜４の何れかに記載の閉塞防止機能付振動篩用網。
【請求項６】
合成樹脂製の上記振動篩用網に代えて、金属製縦線と金属製横線からなる金属製の振動篩用網とし、
上記叩打体が当接する上部の金属製の上記振動篩用網の下側には、各叩打体に対応した正方形の合成樹脂小板が熱溶着に代えて接着により固定されたものである請求項１〜５の何れかに記載の閉塞防止機能付振動篩用網。
【請求項７】
上記振動篩用網の合成樹脂製横線を各々反対方向に伸長した張設状態で上記両側縁を固定する一対の上記振動縦板と、
一対の上記振動縦板間に設けられた上記固定用横杆上に固定されるものであって、上記振動篩用網の上記各薄板帯状固定板の下側に頭部が当接されて上記振動篩用網を上方に持ち上げ、上記振動篩用網の中央部が上方に持ち上がった緩やかな円弧状となるように張設する複数の上記支持部材と、
上記振動縦板を振動させるためのバイブレータ及び上記バイブレータを駆動するためのモータを具備し、
上記モータにより上記振動縦板を振動させて上記振動篩用網を上記叩打体共々振動させることにより、上記薄板帯状固定板間の上記叩打体を上下方向に振動させ、上記叩打体により上記振動篩用網を下側から叩打するものである請求項３〜５の何れかに記載の閉塞防止機能付振動篩用網を使用した振動篩装置。
【発明の詳細な説明】
【技術分野】
【０００１】
本発明は、工業用の振動篩装置に張設する閉塞（目詰まり）防止機能付振動篩用網及びそれを使用した振動篩装置に関するものである。
【背景技術】
【０００２】
従来、この種の振動篩用網は、特許文献１に示すように、枠内に振動篩用網が設けられると共に、上記振動篩用網の下側に複数の球体が収納された収納箱が設けられ、上記枠が振動篩用網と共に振動することで、上記収納箱も振動し、上記振動に伴って収納箱内の球体が上下動して上記振動篩用網に当接することで、上記振動篩用網の閉塞（目詰まり）を解消する構成である。
【０００３】
また、特許文献２に示すものは、枠内の振動篩用網の上部の枠に、ブロックを固定したワイヤーロープを張設し、振動篩用網の上部から上記枠内に被篩体が投入されると、上記枠自体が別の振動装置により振動されることで、被篩体の篩動作が行われると同時に、上記ブロックが上記振動篩用網の上部で振動して、上記ブロックが振動篩用網の上面に当接することで、上記振動篩用網の篩目に詰まった被篩体を下方に落とし、これにより振動用篩網の閉塞（目詰まり）を防止する構成である。
【０００４】
また、特許文献３に示すように、枠内の振動篩用網の上部にワイヤーロープを縦横に張り巡らし、そのワイヤーロープに複数の紐を接続し、各紐の先端に各々ブロックを固定し、上記各ブロックを振動篩用網の上面上に載置しておく。この状態で、振動篩用網の上部から上記枠内に被篩体が投入されると、上記枠自体が別の振動装置により振動されることで、被篩体の篩動作が行われると同時に、上記各ブロックが上記振動篩用網の上部で振動して、上記ブロックが振動篩用網の上面に当接することで、上記振動篩用網の篩目に詰まった被篩体を下方に落とし、これにより振動用篩網の閉塞（目詰まり）を防止する構成である。
【先行技術文献】
【特許文献】
【０００５】
【特許文献１】特開平８−１５５３９６号公報
【特許文献２】実開昭５４−１５３０７１号公報
【特許文献３】実開昭５５−６５１８０号公報
【発明の概要】
【発明が解決しようとする課題】
【０００６】
ところで、特許文献１の振動篩用網では、被篩体の流れ方向において、上流側から下流側に向けて振動篩用網が下り傾斜になるように設置されるが、特許文献１の振動篩用網では、この下り傾斜のため、収納箱内の球体が低い側に偏在することになり、当該収納箱において偏在した球体による振動篩用網の叩打が行われることになり、叩打位置にむらが生じ、十分な閉塞防止効果が得られないという課題がある。
【０００７】
上記特許文献２の振動篩用網では、振動篩用網の上方から被篩体が投入されることになるが、被篩体が粒状体等で、振動篩用網の上部に被篩体が層状に投入され、上記ブロックが被篩体の層の上面に当接することになるが、該層が厚くなると、当該層上面に上記ブロックが当接しても層を叩き崩すことができず、閉塞防止効果が得られない、という課題があった。
【０００８】
このような場合、振動篩装置を一旦止めて、振動篩用網の上部の掃除をした上で再運転を行う、という動作を繰り返し行う必要があり、篩作業の効率が著しく低下する、という課題があった。
【０００９】
上記特許文献３の装置でも、上記特許文献２と同様の課題があり、振動篩用網の上面に層状に堆積すると、上記ブロックでは閉塞防止効果が得られない、という課題があった。
【００１０】
本発明は上記従来の課題に鑑みてなされたものであり、仮に篩上に被篩体が層状に堆積しても、容易に閉塞（目詰まり）を防止することのできる閉塞防止機能付振動篩用網及び振動篩装置を提供することを目的とする。
【課題を解決するための手段】
【００１１】
上記目的を達成するために本発明は、
第１に、合成樹脂製縦線と合成樹脂製横線とを交差部にて熱溶着して一体とされた振動篩用網が上記合成樹脂製縦線と平行な両側縁を以って振動篩装置に張設され得るものであり、当該振動篩装置によって振動されることで上面側に供給される被篩体の篩動作が行われる閉塞防止機能付振動篩用網において、上記振動篩用網の下側に上記合成樹脂製縦線に平行に一定幅の薄板帯状固定板が横方向の所定間隔を以って複数固定されると共に、上記振動篩用網の下側において、隣接する上記薄板帯状固定板間に両端部を固定されたロープが、上記合成樹脂製横線に平行な状態で、上記薄板帯状固定板間に縦方向の所定間隔を以って複数本張設され、上記各ロープには一つ又は複数の叩打体が固定されると共に、隣接する上記各ロープの上記各叩打体は互い違いになるように配列され、上記複数のロープ及び各叩打体から構成される下側叩打部を一単位とし、上記振動篩用網の下側に上記下側叩打部が上流側から下流側に複数単位で設けられ、さらに上記振動篩用網の下側の左右方向にも上記下側叩打部が複数単位で設けられ、上記叩打体が当接する上部の上記振動篩用網の下側には、各叩打体に対応した正方形の合成樹脂小板が熱溶着により固定され、上記振動篩用網が上記叩打体共々上記振動篩装置により振動されることにより、複数の上記叩打体が上記合成樹脂小板を介して上記振動篩用網を下側から叩打することにより、上記振動篩用網の閉塞を防止するものである閉塞防止機能付振動篩用網により構成される。
【００１２】
上記ロープは上記薄板帯状固定板間に両端部が固定されたものであるが、上記薄板帯状固定板に直接上記両端部を固定しても良いし、隣接する薄板帯状固定板に垂直固定小板（９，９）を各々設け、上記ロープの両端部を上記両垂直固定小板の内側面に固定しても良い。このように構成すると、振動篩用網の上側に被篩体が供給された場合、叩打体は振動篩用網の下側から振動篩用網を叩打するものであるから、振動篩用網の上側に被篩体が層状に供給されても、下側からの叩打によって効率的に閉塞（目詰まり）を解消し得る。また、閉塞防止機能付振動篩用網を傾斜して設置しても、叩打体はロープに挿通固定されているため、叩打体が一方に偏在することがなく、閉塞防止機能に影響はない。また、振動篩用網の叩打部分には合成樹脂小板が固定されているので、振動篩用網及び叩打体の寿命を長くすることができる。
【００１３】
第２に、合成樹脂製縦線と合成樹脂製横線とを交差部にて熱溶着して一体とされた振動篩用網が上記合成樹脂製縦線と平行な両側縁を以って振動篩装置に張設され得るものであり、当該振動篩装置によって振動されることで上面側に供給される被篩体の篩動作が行われる閉塞防止機能付振動篩用網において、上記振動篩用網の下側に上記合成樹脂製縦線に平行に一定幅の薄板帯状固定板が横方向の所定間隔を以って複数固定されると共に、上記薄板帯状固定板間において、上記合成樹脂製横線に平行に一定幅の横固定板が縦方向の所定間隔を以って複数固定されており、上記振動篩用網の下側において、隣接する上記横固定板間に両端部を固定されたロープが、上記合成樹脂製縦線に平行な状態で、上記横固定板間に横方向の所定間隔を以って複数本張設され、上記各ロープには一つ又は複数の叩打体が固定されると共に、隣接する上記各ロープの上記各叩打体は、互い違いになるように配列され、上記複数のロープ及び各叩打体から構成される下側叩打部を一単位とし、上記振動篩用網の下側に上記下側叩打部が上流側から下流側に複数単位で設けられ、さらに上記振動篩用網の下側の左右方向にも上記下側叩打部が複数単位で設けられ、上記叩打体が当接する上部の上記振動篩用網の下側には、各叩打体に対応した正方形の合成樹脂小板が熱溶着により固定され、上記振動篩用網が上記叩打体共々上記振動篩装置により振動されることにより、複数の上記叩打体が上記合成樹脂小板を介して上記振動篩用網を下側から叩打することにより、上記振動篩用網の閉塞を防止するものである閉塞防止機能付振動篩用網により構成される。
【００１４】
振動篩用網の下側に設置されるロープを合成樹脂製縦線に平行となるように固定したものであり、このように構成しても上記第１の発明と同様の効果が得られるものである。
【００１６】
このように構成すると、左右方向（横方向）の張力がかかる合成樹脂製横線内に金属製の芯線を入れたので、左右反対方向の張力を強くして、振動篩用網を強く張ることができ、しかも振動篩用網としての寿命を長くすることができる。
【００１７】
第３に、上記振動篩用網の上記両側縁は各々一対の振動縦板間に各々張設し得るものであり、かつ、上記薄板帯状固定板の下側に、上記振動縦板間に固定用横杆を以って固定された複数の支持部材の頭部が当接状態で設けられることにより、上記振動篩用網の中央部が上方に持ち上がった緩やかな円弧状となるように張設し得るものである上記第１〜３の何れかに記載の閉塞防止機能付振動篩用網により構成される。
【００１８】
上記支持部材の頭部は例えば防振ゴム（１３）により構成することができる。このように構成すると、左右方向と上方向の張力を以って、振動篩用網を張設し得るため、振動篩用網を振動縦板間に強い張力を以って張設することができ、これにより閉塞防止機構を発揮しつつ、十分な篩機能を有する閉塞防止機構付振動篩用網を実現することができる。
【００１９】
第４に、上記ロープは３本を一単位とするものであり、３本の上記ロープの内、両側のロープには２個ずつの上記叩打体が固定され、中央の上記ロープにはその中心位置に１個の叩打体が固定されたものである上記第１〜４の何れかに記載の閉塞防止機能付振動篩用網により構成される。
【００２０】
上記両側とは、一単位の下側叩打部（Ｈ）において、ロープを合成樹脂製横線に平行に張設した場合は、上流側と下流側のロープをいい、ロープを合成樹脂製縦線に平行に張設した場合は、左側と右側のロープをいう。このように構成すると、３本のロープと５個の叩打体にて一単位の下側叩打部が構成され、かかる下側叩打部のエリアにおいて、例えばサイコロの５の目の形に配置された５個の叩打体が振動篩用網の下側を連続的に叩打することにより、振動篩用網の閉塞を効率的に解消することができる。
【００２１】
第５に、上記叩打体は、球形状、方形状、又は上記振動篩用網側が円弧状の半円筒形状である上記第１〜４の何れかに記載の閉塞防止機能付振動篩用網により構成される。
【００２２】
上記球形状は完全な球体でも良いし、上下方向の直径が左右方向の直径より長い縦長の球形状でも良い。上記方形状は例えば直方体形状である。このように叩打体の形状は、複数の形状が考えられ、その形状には限定されない。
【００２３】
第６に、合成樹脂製の上記振動篩用網に代えて、金属製縦線と金属製横線からなる金属製の振動篩用網とし、上記叩打体が当接する上部の金属製の上記振動篩用網の下側には、各叩打体に対応した正方形の合成樹脂小板が熱溶着に代えて接着により固定されたものである上記第１〜５の何れかに記載の閉塞防止機能付振動篩用網により構成される。
【００２４】
このように振動篩用網は、合成樹脂製に限定されずに、金属製の振動篩用網であっても良い。
【００２５】
第７に、上記振動篩用網の合成樹脂製横線を各々反対方向に伸長した張設状態で上記両側縁を固定する一対の上記振動縦板と、一対の上記振動縦板間に設けられた上記固定用横杆上に固定されるものであって、上記振動篩用網の上記各薄板帯状固定板の下側に頭部が当接されて上記振動篩用網を上方に持ち上げ、上記振動篩用網の中央部が上方に持ち上がった緩やかな円弧状となるように張設する複数の上記支持部材と、上記振動縦板を振動させるためのバイブレータ及び上記バイブレータを駆動するためのモータを具備し、上記モータにより上記振動縦板を振動させて上記振動篩用網を上記叩打体共々振動させることにより、上記薄板帯状固定板間の上記叩打体を上下方向に振動させ、上記叩打体により上記振動篩用網を下側から叩打するものである上記第３〜５の何れかに記載の閉塞防止機能付振動篩用網を使用した振動篩装置により構成される。
【００２６】
上記支持部材は、例えば支持棒（１４）の上部に頭部としての防振ゴム（１３）が固定されたものを使用することができる。このように構成すると、振動縦板を楕円軌道等を含む上下方向又は斜め上下方向に振動させると、振動篩用網の下側のロープが上下方向に振動し複数の叩打体が振動篩用網を下側から叩打するので、振動篩用網の閉塞を効果的に解消することができる。
【発明の効果】
【００２７】
本発明は上述のように構成されるので、振動篩用網の上側に被篩体が供給された場合、叩打体は振動篩用網の下側から振動篩用網を叩打するものであるから、振動篩用網の上側に被篩体が層状に供給されても、下側からの叩打によって効率的に閉塞を解消することができる。
【００２８】
また、閉塞防止機能付振動篩用網を傾斜して設置しても、叩打体はロープに固定されているため、叩打体が一方に偏在することがなく閉塞防止機能に影響はない。
【００２９】
また、振動篩用網の叩打部分には合成樹脂小板が固定されているので、振動篩用網及び叩打体の寿命を長くすることができる。この合成樹脂小板８は、各叩打体７の当接による衝撃を吸収し、振動篩用網１の損傷を防止すると共に、特に、合成樹脂製横線３の芯線３ａが長時間の叩打により合成樹脂製横線３より外部に露出することを極力防止するためである。金属製の振動篩用網とした場合は、例えば天然ゴム製の叩打体７の金網２９への叩打を長年繰り返すと、上記叩打体７に対する上記ロープ６の位置にずれが生ずることから（叩打の衝撃により、ロープ６の位置が叩打体７の球体の中心Ｐ１を通る位置から下側にずれる）、叩打の衝撃を和らげて、極力、叩打体７の寿命を延ばすためである。
【００３０】
また、振動篩用網の下側に設置されるロープを合成樹脂製縦線に平行となるように固定しても、上記と同様の効果が得られるものである。
【００３１】
また、左右方向（横方向）の張力がかかる合成樹脂製横線内に金属製の芯線を入れたので、左右反対方向の張力を強くして、振動篩用網を強く張ることができ、しかも振動篩用網としての寿命を長くすることができる。
【００３２】
また、左右方向と上方向の張力を以って、振動篩用網を張設し得るため、振動篩用網を振動縦板間に強い張力を以って張設することができ、これにより閉塞防止機構を発揮しつつ、十分な篩機能をも有する閉塞防止機構付振動篩用網を実現することができる。
【００３３】
また、３本のロープと５個の叩打体にて一単位の下側叩打部が構成され、かかる下側叩打部のエリアにおいて、５個の叩打体が振動篩用網の下側を連続的に叩打することにより、振動篩用網の閉塞を効率的に解消することができる。
【００３４】
また、本発明に係る振動篩装置によると、振動縦板を楕円軌道等を含む上下方向又は斜め上下方向に振動させると、振動篩用網の下側のロープが上下方向に振動し複数の叩打体が振動篩用網を下側から叩打するので、振動篩用網の閉塞を効果的に解消することができる。
【図面の簡単な説明】
【００３５】
【図１】本発明に係る閉塞防止機能付振動篩用網の斜視図である。
【図２】同上振動篩用網の分解斜視図である。
【図３】同上振動篩用網の一部断面底面図である。
【図４】同上振動篩用網の側面断面図であり、（ａ）は図３のＸ１−Ｘ１線断面図、（ｂ）は図３のＸ２−Ｘ２線断面図である。
【図５】図４（ｂ）のＸ３−Ｘ３断面図（ロープ近傍の断面図）である。
【図６】同上振動篩用網の振動篩用網のみの図であり、（ａ）は振動篩用網の側面断面図、（ｂ）は振動篩用網の底面図である。
【図７】同上振動篩用網のロープの側面図であり、（ａ）は２個の叩打体が固定されたロープ、（ｂ）は１個の叩打体が固定されたロープを示す。
【図８】同上振動篩用網の叩打体の実施形態を示すものであり、（ａ）は球状の叩打体、（ｂ）は直方体の叩打体、（ｃ）は半円筒形状の叩打体を示す図である。
【図９】同上振動篩用網を使用した振動篩装置の横断面図である。
【図１０】同上振動篩用網の端縁の振動縦板への固定状況を示す振動縦板近傍の断面図である。
【図１１】同上振動篩用網を使用した振動篩装置の側面図である。
【図１２】同上振動篩用網の第２の実施形態の振動篩用網の斜視図である。
【図１３】同上振動篩用網の第２の実施形態の振動篩用網の底面図である。
【図１４】図１３のＸ４−Ｘ４線断面図である。
【図１５】同上振動篩用網の第３の実施形態の振動篩用網の断面図である。
【発明を実施するための形態】
【００３６】
以下、本発明に係る閉塞防止機能付振動篩用網を詳細に説明する。
（第１の実施形態）
図１、図２において、合成樹脂製縦線２と合成樹脂製横線３とを交差部４にて熱溶着して一体とされた振動篩用網１が、上記合成樹脂製縦線２と平行な両側縁１ａ，１ａを以って振動篩装置１１（図９、図１１参照）に張設され得るものであり、当該振動篩装置１１によって振動されることで上面側に供給される被篩体の篩動作が行われる閉塞防止機能付振動篩用網１０により構成される。
【００３７】
上記合成樹脂製縦線２と上記合成樹脂製横線３は例えばウレタン等の合成樹脂により構成されており、交差部４は熱溶着されることにより、格子の網状の振動篩用網１が構成されている。また、上記合成樹脂横線３には内部に金属製の芯線３ａが埋設されている（図５参照）。
【００３８】
上記振動篩用網１の下側には、上記合成樹脂製縦線２に平行に一定幅の薄板帯状固定板（これもウレタン等の合成樹脂製）５，５が横方向の所定間隔（本実施形態では一定間隔Ｔ１）を以って複数枚、固定されると共に、上記振動篩用網１の下面において、隣接する上記薄板帯状固定板５，５間に両端部を固定されたロープ６が、上記合成樹脂製横線３に平行な状態で、上記薄板帯状固定板５，５間に縦方向の所定間隔をＴ２以って複数本（一単位は３本）張設されている（図２、図３参照）。
【００３９】
尚、図１において、被篩体の進行方向を矢印Ｉ（縦方向）にて示す。また、上記矢印Ｉ方向を基準として、川上側を「上流側」、「前方」、川下側を「下流側」、「後方」という。また、矢印Ｉに沿う方向を縦方向、矢印Ｉと直交する方向を横方向又は左右方向という。
【００４０】
上記ロープ６は例えばウレタンにより構成された合成樹脂製のある程度弾性のあるロープであり、各ロープ６には、予め叩打体７が挿通固定されている。上記叩打体７は図７に示すように例えば天然ゴムで製造された比較的硬質（例えばゴムの硬度は４０〜６０）の球状のものであり、内部中心点Ｐ１を通る内部に貫通孔７ａを設け、上記貫通孔７ａにロープ６を通し、叩打体７におけるロープ６の出口（２か所）に固定リング７ｂ，７ｂを挿通し、上記固定リング７ｂ，７ｂを上記ロープ６及び上記叩打体７に接着することで、ロープ６に対する叩打体７の位置（ロープ６に沿う方向の位置）を固定し得るように構成されている。
【００４１】
本実施形態では、図１、図２に示すように、１本のロープ６に２個の叩打体７，７を固定したものと、１本のロープ６に１個の叩打体７を固定したものを用意する。図８には、この叩打体の他の実施形態を示す。（ａ）は図７と同様の球体の叩打体７であり、上下方向の長さが左右方向の長さよりも長い饅頭型でも良い。（ｂ）は天然ゴムで製造された直方体形状の叩打体７を示す。この叩打体７は、長手方向に沿う中央内部に貫通孔７ａが設けられ、該貫通孔７ａにロープ６が通されている。尚、同図（ａ）（ｂ）のものは上記固定リング７ｂは描かれていないが、ロープ６の叩打体７からの出口には、上記と同様の固定リング７ｂが接着されることになる。同図（ｃ）に示す叩打体７は、同じく天然ゴムにより構成されているが、上記振動篩用網１側が円弧状の半円筒形状から構成されており、下面の長手方向に沿う中央に、断面半円状の直線の溝７ｃが形成されている。そして、上記ロープ６と上記溝７ｃとを嵌合し、両者を接着することで、当該叩打体７は上記ロープ６に固定されている。このように叩打体７は各種の形状により構成することができ、上記形状に限定されない。
【００４２】
図２に示すように、上記薄板帯状固定板５，５間における上記ロープ６を固定する位置の両側には、垂直固定小板９，９が対向して固定されている。この垂直固定小板９，９は、各外側面９ａ，９ａの上縁部が対応する薄板帯状固定板５，５の側面部５ａ，５ａに熱溶着により固定されており、上記垂直固定小板９，９の各内側面９ｂ，９ｂに上記ロープ６の両端部が熱溶着により固定されている（図５参照）。
【００４３】
そして、図１、図２に示すように、一対の薄板帯状固定板５，５間には、各々２個の叩打体７，７が固定された２本のロープ６を、上流側と下流側に各々張設する。具体的には、一対の上記垂直固定小板９，９間に、上記叩打体７が２個固定されたロープ６の両側が熱溶着により固定されたものを、２本用意し、一対の薄板帯状固定板５，５間の上流側に、上記１本のロープ６の上記垂直固定小板９，９の外側面９ａ，９ａの上縁部を各々対応する薄板帯状固定板５，５間の内側の側面部５ａ，５ａに、上記ロープ６が合成樹脂製横線３に平行となるように、熱溶着で固定する。また、上記固定したロープ６から縦方向にＴ２×２離間した位置（下流側）において、同様に、一対の薄板帯状固定板５，５間に、上記１本のロープ６の上記垂直固定小板９，９の外側面９ａ，９ａの上縁部を各々対応する薄板帯状固定板５，５間の内側の側面部５ａ，５ａに、上記ロープ６が上記合成樹脂製横線３に平行となるように、熱溶着で固定する。
【００４４】
さらに、上記垂直固定小板９，９間に、中心部に１個の叩打体７が固定されたロープ６の両側が熱溶着により固定されたものを１本用意し、上記上流側のロープ６と下流側のロープ６の縦方向の中間位置に、上記１本のロープの上記垂直固定小板９，９の外側面９ａ，９ａの上縁部を各々対応する薄板帯状固定板５，５間の内側の側面部５ａ，５ａに、上記ロープ６が上記合成樹脂製横線３に平行となるように、熱溶着で固定する。これにより、上流側のロープ６と中央のロープ６、下流側のロープ６と中央のロープ６との縦方向の距離は何れもＴ２となる（図２参照）。
【００４５】
また、各ロープ６における叩打体７の位置は、図３、図４に示すように、隣接する上記各ロープ６の上記各叩打体７は、互い違い（隣接する２つの叩打体７，７の中間位置に１つの叩打体７が配置されるように）になるように配列され、上記叩打体７が当接する上部の上記振動篩用網１の下側位置には、合成樹脂小板８が固定されている（図１、図２、図４参照）。即ち、上記ロープ６は３本を一単位（一組）とするものであり、３本の上記ロープ６の内、両上下流側のロープ６，６には２個ずつの上記叩打体７，７が固定され、上記中央の上記ロープ６にはその中心位置に１個の叩打体７が固定されている。
【００４６】
そして、３本の各ロープ６の縦方向の距離は何れもＴ２であり、また平面的にみると、一単位のロープには全部で５個の叩打体７が固定され、５個の叩打体７はサイコロの５の目のように、上流側のロープ６には２個の叩打体７，７、下流側のロープ６には２個の叩打体７，７、中央のロープ６には上下流のロープ６，６の叩打体７，７の左右方向（横方向）の中間位置、即ち、中央のロープ６の中心部に１個の叩打体７が固定されている。
【００４７】
尚、上記３本のロープ６は、上記薄板帯状固定板５，５間に上記垂直固定小板９，９を介して接続した事例を示したが、上記３本のロープ６の両端部を直接、上記薄板帯状固定板５，５に熱溶着により固定しても良い。この場合、上記ロープ６の両端部の一定範囲を上記薄板帯状固定板５の下面に熱溶着により接着すれば良い。
【００４８】
さらに、上述のように、５個の上記叩打体７の上側の上記振動篩用網１の対応部分（合成樹脂製横線３の下側）には、各々５個の正方形の合成樹脂小板８が熱溶着により固定されている（図１参照）。この合成樹脂小板８は、各叩打体７の当接による衝撃を吸収し、振動篩用網１の損傷を防止すると共に、特に、合成樹脂製横線３の芯線３ａが長時間の叩打により合成樹脂製横線３より外部に露出することを極力防止するためである。
【００４９】
尚、ここで、図１、図２に示すように、一対の薄板帯状固定板５，５間に設けられた３本のロープ６及びサイコロの５の目のように配置された５個の叩打体７（上流側、下流側のロープ６の２個ずつの叩打体７，７、及び中央のロープ６の中央の１個の叩打体７）を「一単位」とし、これら３本のロープ６及び５個の叩打体７により構成される叩打部を「下側叩打部Ｈ」という。実際には、広い振動篩用網１の下側の全体に、下側叩打部Ｈが複数組配置されることになる。
【００５０】
また、上記下側叩打部の位置を特定しない場合は符号「Ｈ」を使用するが、位置を特定する場合は符号「Ｈ１，Ｈ２，Ｈ３・・・」のように添え字を付して示す。
【００５１】
即ち、上述のように構成された閉塞防止機能付振動篩用網１０は、振動篩用網１が広い場合は、図３に示すように、合成樹脂製縦線２に平行に、距離Ｔ１を介して複数の薄板帯状固定板５（図３では３枚）が固定され、一対の薄板帯状固定板５，５間に、上記一単位の叩打体７が固定された３本のロープ６（下側叩打部Ｈ）が設けられている。
【００５２】
図３において、矢印Ｉ方向が被篩体の進行方向であるとすれば、上流側のロープ６のさらに上流側に距離Ｔ２離間した位置に、さらに一単位の下側叩打体Ｈが構成されており、下流側のロープ６のさらに下流側に距離Ｔ２離間した位置に、さらに一単位の下側叩打体Ｈが構成されている。さらに、左右方向にも、上記図３の紙面の右側の薄板帯状固定板５の右側にはさらに、横方向の距離Ｔ１を置いて、図示していないが薄板帯状固定板５が設けられており、当該薄板帯状固定板５との間にも、上記一単位の下側叩打部Ｈが設けられており、上記図３の紙面の左側の薄板帯状固定板５の左側にはさらに、横方向の距離Ｔ１を置いて、図示していないが薄板帯状固定板５が設けられており、当該薄板帯状固定板５との間にも、上記一単位の下側叩打部Ｈが設けられている。このように、上記一単位の下側叩打部Ｈは、振動篩用網１の縦方向又は横方向の広さに応じて複数単位で設けられるものである。
【００５３】
また、図４に示すように、上記閉塞防止機能付振動篩用網１０を振動篩装置１１に装着した場合は、上記薄板帯状固定板５の下側の垂直固定小板９，９間には、支持棒１４上に支持された防振ゴム１３が嵌合装着される。この防振ゴム１３は、直方体のブロック状をなすもので、その横幅Ｔ３は、上記垂直固定小板９，９間の距離Ｔ３に等しく、図３に示すように、上記垂直固定小板９，９間の位置に各々嵌合装着される。これらの防振ゴム１３の支持棒１４は、図９に示すように、両サイドの振動縦板１５，１５’間に装着固定された固定用横杆３０上に固定されており、上記振動篩用網１に対して上方向（矢印Ａ方向）のテンションを与えて、振動篩用網１全体を上に凸の円弧状にするものである（図９参照）。
【００５４】
次に、上記閉塞防止機能付振動篩用網１０を振動篩装置１１に装着する構成について説明する（図９参照）。
振動篩装置１１に装着する場合の閉塞防止機能付振動篩用網１０は、図９に示すように、振動篩用網１の横方向に間隔Ｔ１を以って３枚の薄板帯状固定板５を裏面側に固定し、中央部の２か所、即ち、中央部の３枚の薄板帯状固定板５，５，５の内、２つの薄板帯状固定板５，５の間に上記一単位の下側叩打部Ｈ１を固定し、他方の一対の薄板帯状固定板５，５の間に上記一単位の下側叩打部Ｈ２を固定する。
【００５５】
さらに、図９中において、左側の薄板帯状固定板５に設けられた垂直固体小板９と、左端部のフック１２（図１０参照）の内側の振動篩用網１の下側（合成樹脂製横線３）に熱溶着により固定された薄板帯状固定板５’に同様に接着された垂直固定小板９’（図１０参照）との間に上記一単位の下側叩打部Ｈ３が固定されており（左側の薄板帯状固定板５，５’間の距離はＴ１）、図９中において、右側の薄板帯状固定板５に設けられた垂直固定小板９と、右端部のフック１２の内側の振動篩用網１の下側（合成樹脂製横線３）に熱溶着により固定された垂直固定小板９’（図示せず）との間に上記一単位の下側叩打部Ｈ４が固定されている（右側の薄板帯状固定板５，５’間の距離はＴ１）。尚、閉塞防止機能付振動篩用網１０と振動縦板１５，１５’との接続は左右対称なので、図１０を用いて左側の接続のみ詳述し、右側の説明は便宜上省略する。
【００５６】
図１０において、閉塞防止機能付振動篩用網１０の端縁にはフック１２が上記合成樹脂製横線３の端縁に接続されており、かつ、上記フック１２の内側の振動篩用網１の下側（合成樹脂製横線３の下側）には上記薄板帯状固定板５’が熱溶着により接続されており、該薄板帯状固定板５’の内側（側面部５ａ）には上記垂直固定板９’（本実施形態ではウレタン製）の外側上部が接着固定されている。そして、上記端部においては上記下側叩打部Ｈ３のロープ６の左端部は上記垂直固定板９’の内側面９ｂ’に熱溶着により固定されている。よって、上記下側叩打部Ｈ３のロープ６（３本）の両端部は、上記図１０に示す左端部の薄板帯状固定板５’の垂直固定小板９’と、上記薄板帯状固定板５’に隣接する上記薄板帯状固定板５に設けられた垂直固定小板９との間に熱溶着により固定されている（図９、図１０参照）。
【００５７】
同図において、振動縦板１５，１５’の内側にはＬ型アングル１６が固定され、当該Ｌ型アングル１６の上部にはクラッピングバー１９がその上端部１９ａを支点として、下端部１９ｂを上記アングル１６上に向けて配置され、かつテンションボルト１７が上記クラッピングバー１９の内側から斜め方向に設けられ、上記テンションボルト１７の端部は上記振動縦板１５を貫通して該振動縦板１５の外側にてナット１８にて固定されている。
【００５８】
かかる構造において、上記閉塞防止機能付振動篩用網１０の左右端部の上記フック１２を、上記クラッピングバー１９の下端部１９ｂに係合し、上記テンションボルト１７をねじ込むことにより、上記フック１２を上記下端部１９ｂと上記Ｌ型アングル１６の上面１６ａとの間に挟持することにより、上記一対の振動縦板１５，１５’の間に、上記閉塞防止機能付振動篩用網１０を張設する。そして、上記テンションボルト１７をねじ込むことにより、上記振動篩用網１に矢印Ｂ，Ｂ’方向（互いに水平の反対方向）のテンションをかけることができるように構成されている（図９参照）。
【００５９】
実際には、図９に示すように、上記閉塞防止機能付振動篩用網１０に反対方向（矢印Ｂ，Ｂ’方向）のテンションをかけた状態で、上記振動篩用網１の下側に位置する上記固定用横杆３０に、当該振動篩用網１の下側から上記中央の３か所の上記薄板帯状固定板５，５，５の対応位置に支持棒１４を立設固定し、各支持棒１４の上部に防振ゴム１３を固定し、上記防振ゴム１３を上記薄板帯状固定板５の下側の垂直固定板９，９の間に嵌合固定する（図４（ａ）（ｂ）参照）。これらの防振ゴム１３の支持棒１４の高さは、上記閉塞防止機能付振動篩用網１０を下側から若干持ち上げて、当該振動篩用網１０に上方向（矢印Ａ方向）のテンションをかけることができるように構成されており、さらに、中央の支持棒１４の高さは、両側の支持棒１４，１４の高さより若干高く形成されており、上記振動篩用網１の中央部を若干持ち上げて、全体として中央が若干持ち上がった緩やかな円弧状（上に凸）となるように張設する（図９参照）。
【００６０】
振動篩装置１１は、図１１に示すように、地面Ｇに設置された固定機枠２５に、支持装置２１，２１によって、上記振動縦板１５，１５’が振動可能に支持されている。上記地面Ｇ上にはモータ用の固定機枠２２が設置され、該機枠２２上に駆動用のモータＭが固定されている。上記振動縦板１５，１５’上にはバイブレータ２３が設けられ、上記バイブレータ２３の回転体２３ａと上記モータＭのプーリ２６とには駆動ベルト２４が掛け渡されている。上記バイブレータ２３の回転体２３ａのドライブ軸には偏心錘（図示せず）が固定されており、上記モータＭを駆動して上記回転体２３ａを回転することにより、バイブレータ２３が振動し、その結果、上記振動縦板１５，１５’が振動することで、上記振動縦板１５，１５’間に張設された上記閉塞防止機能付振動篩用網１０（図１１中二点鎖線で示す）を、上記固定用横杆３０及び支持棒１４、防振ゴム１３共々、振動させることができる。尚、上記防振ゴム１３は上記薄板帯状固定板５の下面に上方向（矢印Ａ方向）のテンションを以って嵌合固定されているため、振動縦板１５，１５’が振動すると、その振動に従って、上記閉塞防止機能付振動篩用網１０と一体となって振動し、かかる振動時に振動篩用網１と防振ゴム１３とが分離することはない。
【００６１】
振動の方向は、例えば、図１１に矢印Ｃにて示すように、鉛直に対して４５度傾斜した中心線Ｐ２の周りの楕円軌道に沿った振動であり、この楕円軌道に沿って上記閉塞防止機能付振動篩用網１０が振動することになる。
【００６２】
本発明は上述のように構成されているため、以下、その作用について説明する。尚、図９において、左右方向（横方向）に下側叩打部Ｈ１〜Ｈ４が設けられているが、縦方向においても、各下側叩打部Ｈ１〜Ｈ４に続いて、縦方向の距離Ｔ２を介して同様の下側叩打部Ｈが複数設けられており、上記下側叩打部Ｈが振動篩用網１の下側の全面に設けられているものとする。また、閉塞防止機能付振動篩用網１０は、図９に示すように、振動縦板１５，１５’間に横方向の反対方向（矢印Ｂ，Ｂ’方向）にテンションがかかり、かつ支持棒１４により上方向（矢印Ａ方向）にもテンションがかかった状態で張設されているものとする。さらに、中央の支持棒１４は他の支持棒１４より若干長く、閉塞防止機能付振動篩用網１０は全体として、上に凸の円弧状に張設されているものとする。
【００６３】
かかる状態で、上記モータＭを駆動して、バイブレータ２３を回転駆動し、上記振動縦板１５，１５’を図１１の矢印Ｃ方向の楕円軌道にて振動させる。その結果、上記閉塞防止機能付振動篩用網１０の振動篩用網１は、上記楕円軌道Ｃに沿って振動すると共に、下側叩打部Ｈの３本のロープ６は、図４（ａ）（ｂ）に示すように、略中央部を最も大きなストロークを以って上下方向（矢印Ｄ方向）に振動する。
【００６４】
この状態で下側叩打体Ｈの各ロープ６は、上昇したとき、中央の叩打体７が対向位置にある振動篩用網１の合成樹脂小板８に強く当接するため、上下方向の振動をくり返すことにより、上記叩打体７が上記合成樹脂小板８を介して振動篩用網１を連続的に強く叩打することになる（図４（ａ）参照）。また、上流側と下流側の上記ロープ６は、上昇したとき、２個ずつの叩打体７，７が、対向位置にある合成樹脂小板８，８に強く当接するため、振動をくり返すことにより、上記各叩打体７，７が上記合成樹脂小板８，８を介して振動篩用網１を連続的に強く叩打ことになる（図４（ｂ）参照）。
【００６５】
結果として、図１に示す下側叩打部Ｈの一単位の対応エリアＥにおいて（図１参照）、振動篩用網１を下側から、５つの叩打体７が、サイコロの「５」の目に対応する位置、即ち、上流側の２か所、下流側の２か所、及び、中央の１箇所を叩打することになる。
【００６６】
尚、この一単位の下側叩打部Ｈは、上述のように、振動篩用網１の下側のエリア全体に設けられているので、各々の一単位の下側叩打部ＨのエリアＥ（図１参照）において、５個の叩打体７が上記振動篩用網１の下側を連続して叩打する結果、振動篩用網１の全範囲において、その下側から叩打体７が連続的に叩打することになる。
【００６７】
このような状態において、振動篩装置１１の投入口２０ａから被篩体、例えば骨材を投入する。上記振動篩用網１の上側から当該網１に投入された骨材は、閉塞防止機能付振動篩用網１０上に落下すると共に、当該振動篩用網１の上記楕円軌道に沿う振動により、篩動作が行われる。即ち、上記振動篩用網１の升目（篩目）より小さい骨材は当該振動篩用網１を通過して下方に落下して集積され、上記振動篩用網１の升目（篩目）より大きい骨材は、上記楕円軌道Ｃに基づいて、前方（矢印Ｉ方向）への進行方向の力が作用し、当該振動篩用網１の上を矢印Ｉ方向に移動し、出口２０ｂから矢印Ｆ方向に移動して、図示しない搬送用コンベア等により所定の集積場所に移送される。かかる動作により、上記骨材の篩分けを行うことができる。
【００６８】
ここで、上記振動篩用網１の下側には、上述のように、下側叩打部Ｈのロープ６に固定された叩打体７が常時上下方向に振動して、複数の叩打体７が振動篩用網１の合成樹脂小板８の部分を連続的に叩打しているので、上記振動篩用網１の升目（篩目）に細かい粒子が付着して升目（篩目）を塞いだとしても、直後に、叩打体７が下方から合成樹脂小板８に当接するので、上記升目を塞いだ細かい粒子は上記叩打の振動により、直ちに当該升目から離脱して下方に落下集積させることができる。
【００６９】
また、一単位の下側叩打体ＨのエリアＥにおいて、５個の叩打体７がサイコロの「５」の目のように配置されているので、中央のロープ６の中央位置における１個の叩打体７が最も長い上下ストローク（最大ストローク）にて上下振動するため、上記エリアＥの振動篩用網１の内、最も強く上記エリアＥの中央部を叩打し、同時に、上流側と下流側の２本のロープ６に固定された２個ずつの叩打体７，７が、略最大ストロークにて、上流側２か所、及び、下流側２か所の振動篩用網１を叩打するため、振動篩用網１の上記エリアＥ内の如何なる位置の升目の箇所に閉塞が生じた場合であっても、上記５個の叩打体７の叩打に基づく叩打振動、及び、該叩打振動の伝達によって、上記エリアＥ内の振動篩用網１の全体が振動して、上記閉塞（目詰まり）は解消され、升目を覆っていた細かい粒子は全て下方に落下させることができる。
【００７０】
特に、図３に示すように、中央の叩打体７と上流側又は下流側の叩打体７との中間部分に閉塞（図３の閉塞箇所ａ，ａ）が生じた場合は、中央の１個の叩打体７の連続的な強い叩打による叩打振動、及び、上流側又は下流側の２個の叩打体７，７による連続的な叩打による叩打振動によって、閉塞箇所ａ，ａの閉塞（目詰まり）は直ちに解消することができる。また、一単位の下側叩打部Ｈと下流側に隣接する下側叩打体Ｈとの間の閉塞ｂは、一方の下流側の叩打体７，７（２個）の叩打による叩打振動と、下流側に隣接する叩打体７，７（２個）の叩打による叩打振動とによって、円滑に閉塞を解消させることができる。
【００７１】
また、振動篩用網１の升目より大の骨材は、振動篩用網１上を矢印Ｉ方向に進行し、最終的には出口２０ｂから矢印Ｆ方向に排出させることができる。
【００７２】
また、仮に、大量の骨材が閉塞防止機能付振動篩用網１０上に投入され、振動篩用網１上に層状の骨材が形成されたとしても、叩打体７は振動篩用網１の下側に構成されているので、上記骨材の層が上記叩打動作に悪影響を与えることはない。従って、仮に、振動篩用網１の上側に骨材の層が構成されたとしても、叩打体７は下側から振動篩用網１を何ら問題なく叩打することが可能であり、その結果、上述のような状況においても、振動篩用網１の閉塞を十分に解消させることができる。即ち、振動篩用網１の下側からの叩打により、上記振動篩用網１上の骨材の層を崩すことができ、これにより升目の閉塞を容易に解消することができる。
【００７３】
（第２実施形態）
図１２乃至図１４に本発明の閉塞防止機能付振動篩用網１０に係る第２の実施形態を示す。尚、この第２の実施形態において、第１の実施形態と同一部材については同一符号を付する。
【００７４】
図１２に示すように、振動篩用網１の裏面側に、間隔Ｔ１を以って薄板帯状固定板５，５が熱溶着により接着され、上記薄板帯状固定板５，５間において、上記合成樹脂製横線３に平行に（左右方向に）一定幅の一対の横固定板２７，２７が縦方向の所定間隔Ｔ５を以って固定されている。上記横固定板２７，２７は、その両端部が上記薄板帯状固定板５の内側の側面部５ａ，５ａに熱溶着により固定され、かつ、上記横固定板２７，２７の上面は上記振動篩用網１の合成樹脂製横線３の下面に熱溶着により固定されている。
【００７５】
そして、上記振動篩用網１の下面において、隣接する上記横固定板２７，２７間に両端部を固定されたロープ６（３本）が、上記合成樹脂製縦線２に平行な状態で、上記横固定板２７，２７間に横方向の所定間隔Ｔ４を以って複数本張設され、上記各ロープ６には一つ又は複数の叩打体７が固定されると共に、隣接する上記各ロープ６の上記各叩打体７は、互い違いになるように配列され、上記叩打体７が当接する上部の上記振動篩用網１の下側位置には、合成樹脂小板８が固定され、上記振動篩用網１が上記振動篩装置１１により振動され、複数の上記叩打体７が上記合成樹脂小板８を介して上記振動篩用網１を下側から叩打することにより、上記振動篩用網１の閉塞（目詰まり）を防止するものである。
【００７６】
尚、上記第１の実施形態と同様に、図１２に示す３本のロープ６と５個の叩打体７から構成されるものを一単位の下側叩打部Ｈとする。
【００７７】
本実施形態では、上記ロープ６は合成樹脂製縦線２に平行に設けられており、左側のロープ６に球状の叩打体７が２個固定され、右側のロープ６に球状の叩打体７が２個固定され、中央のロープ６の中央位置、即ち左右の２個の叩打体７，７の縦方向における中間位置に１個の叩打体７が固定されている。従って、一単位の下側叩打部Ｈにおいては、第１実施形態と同様に、全部で５個の叩打体７が、サイコロの５の目のように配置されており、各叩打体７の上側の上記振動篩用網１の下側には、各々５個の合成樹脂小板８が熱溶着により固定されている。
【００７８】
このように構成された閉塞防止機能付振動篩用網１０は、図９に示すように第１の実施形態と同様に、合成樹脂製横線３に接続されたフック１２によって、振動縦板１５，１５’間に同様に張設され（左右方向には矢印Ｂ，Ｂ’方向にテンションが掛けられ）、かつ防振ゴム１３を薄板帯状固定板５，５の下側の上記横固定板２７，２７の設置位置に嵌合し（図１３参照）、振動篩用網１を上方向（矢印Ａ方向）にテンションをかけることにより、図９に示すように、全体が上の凸の緩やかな円弧状になるように振動篩装置１１の振動縦板１５，１５’間に張設する。
【００７９】
その後、モータＭの駆動により閉塞防止機能付振動篩用網１０が楕円軌道に沿う矢印Ｃ方向に振動すると、図１４に示すように、上記叩打体７が上下方向（矢印Ｄ方向）に振動して、上方に振動したとき、叩打体７が上方の合成樹脂製小板８に強く当接し、これにより振動篩用網１を下側から連続的に叩打するため、第１の実施形態と同様に、振動篩用網１の升目（篩目）の閉塞（目詰まり）を容易に解消することができる。
【００８０】
この第２の実施形態においても、一単位の下側叩打部Ｈにおけるロープ６の方向が、第１の実施形態では合成樹脂製横線３に平行であったものが、第２の実施形態では合成樹脂製縦線２に平行になるだけであり、その他の機能は同一であるので、第２の実施形態においても、仮に、大量の骨材が閉塞防止機能付振動篩装置１０上に投入され、振動篩用網１上に層状の骨材が形成されたとしても、叩打体７は振動篩用網１の下側に構成されているので、上記骨材の層が上記叩打動作に悪影響を与えることはない。
【００８１】
（第３の実施形態）
図１５に示すものは、本発明に係る第３の実施形態であり、合成樹脂製の上記振動篩用網１を金属製の金網２９としたものである。即ち金属製縦線と金属製横線を図１５に示すように編んで、周知の金網２９により、振動篩用網１を構成したものである。尚、図１５の実施形態においては、紙面に対して奥部方向から手前方向に被篩体が流れるものとする。この実施形態においては、金網２９の横方向の一定間隔Ｔ６を介して、金網２９を上下方向からサイドイッチ上に挟持する合成樹脂製の固定板２８，２８を縦方向に平行に設ける。そして、固定板２８の下面の両側に合成樹脂小板９，９を熱溶着により接着し、上記固定板２８，２８における合成樹脂小板９，９間に２個の叩打体７を固定したロープ６の両端を熱溶着により接続する。尚，７ｂは上記叩打体７の固定リングである。また、上記叩打体７の上側の金網２９には、合成樹脂小板８を接着により設けて、叩打体７の金網２９への当接の衝撃を若干和らげる。これは、叩打体７の金網２９への叩打を長年繰り返すと、上記叩打体７に対する上記ロープ６の位置にずれが生ずることから（叩打の衝撃により、ロープ６の位置が叩打体７の球体の中心Ｐ１を通る位置から下側にずれる）、叩打の衝撃を和らげて、極力、叩打体７の寿命を延ばすためである。
【００８２】
尚、上記第３の実施形態において、上記固定板２８，２８に代えて、上記固定板２８，２８の位置に、図４と同様の薄板帯状固定板５（但し金属製）を、振動篩用網１の下側から溶接等により固定し、当該薄板帯状固定板５の下面に図１５に示す金属製小板９を溶接等により固定し、一対の金属製小板９，９間に叩打体７を有するロープ６の両端部を接着等により固定することもできる。
【００８３】
このように、上記金網２９による振動篩用網１を使用した場合であっても、図１に示すように、３本のロープ６と５個の叩打体７によって、一単位の下側叩打部Ｈを構成することが可能である。この第３の実施形態においては、振動篩用網１が金属製になるだけで、その他の構成は第１の実施形態と略同様である。従って、上記第１の実施形態と同様の効果を得ることができるものである。
【００８４】
本発明は以上のように、振動篩用網１の上側に被篩体（例えば骨材）が供給された場合、叩打体７は振動篩用網１の下側から振動篩用網１を叩打するものであるから、振動篩用網１の上側に被篩体が層状に供給されても、下側からの叩打によって効率的に閉塞を解消することができる。
【００８５】
また、閉塞防止機能付振動篩用網１０を傾斜して設置しても、叩打体７はロープ６に固定されているため、叩打体７が一方に偏在することがなく閉塞防止機能に影響はない。
【００８６】
また、振動篩用網１の叩打部分には合成樹脂小板８が固定されているので、振動篩用網１及び叩打体７の寿命を長くすることができる。
【００８７】
また、第２の実施形態のように、振動篩用網１の下側に設置されるロープ６を合成樹脂製縦線に平行となるように固定しても、上記第１の実施形態と同様の効果が得られるものである。
【００８８】
また、左右方向（横方向）の張力がかかる合成樹脂製横線３内に金属製の芯線３ａを入れたので、左右反対方向の張力を強くして、振動篩用網１を強く張ることができ、しかも振動篩用網１としての寿命を長くすることができる。
【００８９】
また、左右方向と上方向の張力を以って、振動篩用網１を張設し得るため、振動篩用網１を振動縦板１５，１５’間に強い張力を以って張設することができ、これにより閉塞防止機構を発揮しつつ、十分な篩機能をも有する閉塞防止機構付振動篩用網１０を実現することができる。
【００９０】
また、３本のロープ６と５個の叩打体７にて一単位の下側叩打部Ｈが構成され、かかる下側叩打部ＨのエリアＥにおいて、５個の叩打体７が振動篩用網１の下側を連続的に叩打することにより、振動篩用網１の閉塞を効率的に解消することができる。
【００９１】
また、本発明に係る振動篩装置１１によると、振動縦板１５，１５’を楕円軌道等を含む上下方向又は斜め上下方向に振動させると、振動篩用網１の下側のロープ６が上下方向に振動し複数の叩打体７が振動篩用網を下側から叩打するので、振動篩用網１の閉塞を効果的に解消することができる。
【産業上の利用可能性】
【００９２】
本発明に係る閉塞防止機能付振動篩用網は、振動篩用網の下側のロープに固定された叩打体により振動篩用網を下側から叩打することができるため、仮に、振動篩用網の上側の層状に被篩体が供給されても、効率的に閉塞を防止することができるものである。
【符号の説明】
【００９３】
１        振動篩用網
２        合成樹脂製縦線
３        合成樹脂製横線
３ａ      芯線
４        交差部
５        薄板帯状固定板
６        ロープ
７        叩打体
８        合成樹脂小板
１１      振動篩装置
１３      防振ゴム
１４      支持棒
２３      バイブレータ
２７      横固定板
３０      固定用横杆
Ｍ        モータ
Ｔ１      間隔
Ｔ２      間隔
【図１】
0006883348.tif 000002
【図２】
0006883348.tif 000003
【図３】
0006883348.tif 000004
【図４】
0006883348.tif 000005
【図５】
0006883348.tif 000006
【図６】
0006883348.tif 000007
【図７】
0006883348.tif 000008
【図８】
0006883348.tif 000009
【図９】
0006883348.tif 000010
【図１０】
0006883348.tif 000011
【図１１】
0006883348.tif 000012
【図１２】
0006883348.tif 000013
【図１３】
0006883348.tif 000014
【図１４】
0006883348.tif 000015
【図１５】
0006883348.tif 000016